(57)【要約】【課題】弾性線材による事務用クリップで、枚数の多い書類や用紙等の紙片を挟むときに上押え環部と下押え環部とが紙片面から大きく反り上がらないで安定した挟持力を得られるようにする。【解決手段】弾性線材を回曲してル−プ状の上押え環部１と下押え環部２とを形成し、その両環部１，２を連結している部分を巻き輪形状とした巻き輪連結部３によって形成し、両環部１，２の上押え環部面４や下押え環部面５と少なくとも直角に交差する面に沿った状態として巻き輪連結部３を設けたものとする。また、上押え環部１と下押え環部２とを用紙の隅に当て嵌まる凡そ直角三角形となる形状として形成したものやＶクリップ、アイデアルクリップ等にも巻き輪連結部３を設けることが出来るものである。【選択図】          図１
2004237635.tif 000002
【特許請求の範囲】
【請求項１】
金属類や合成樹脂等による弾性線材を回曲してル−プ状の上押え環部（１）と下押え環部（２）とを形成し、その両環部（１），（２）を連結している部分が両環部の上押え環部面（４）と下押え環部面（５）とに凡そ直角に交差する面に沿って少なくとも一つの巻き輪形状によって形成した巻き輪連結部（３）を設けていることを特徴とする事務用クリップ。
【発明の詳細な説明】
【０００１】
【発明の属する技術分野】
この発明は、ゼムクリップ等の回曲した弾性線材による事務用クリップに関するものである。
【０００２】
【従来の技術】
従来の金属や合成樹脂等による弾性線材を回曲してル−プ状の上押え環部と下押え環部とを形成したクリップにおけるその上押え環部と下押え環部の間に書類等の紙片を挟み込んで行き止まりとなる部分を、凸凹状にくねった形状や螺旋形状にした連結部として形成したものであった。（例えば特許文献１参照）
【０００３】
【特許文献１】
特開２００２−３２１４７９号公報
【０００４】
【発明が解決しようとする課題】
従来のクリップにおける上押え環部と下押え環部とを連結している連結部分が凸凹状に形成している緩衝能力では、極端に枚数が多くなると挟む力が十分とはいえなくなる弱点があった。
また、螺旋形状で連結したものでは、枚数が極端に多いものでも挟む力は十分であるが、挟んだものの端から螺旋部分が外に飛び出し、その部分が邪魔になる欠点があった。
【０００５】
【課題を解決するための手段】
本発明に係わるクリップは、挟む紙片の枚数が極端に多くなって厚いものとなっても挟む力を十分なものとなる緩衝能力を連結部分に設けるものとしている。
【０００６】
挟む力が十分なものとなる緩衝能力としては、弾性線材を回曲してループ状とした上押え環部１の面と下押え環部２の面との両上下押え環部面４，５に対して少なくとも直角となる角度で交差する面に沿って、輪として巻いた状態の巻き輪スプリング形状とした巻き輪連結部３を設けるものとしている。
【０００７】
【発明の実施の形態】
本発明に係わる実施の形態の一つとしては、図１の斜視図や図２の巻き輪連結部３側から見た側面図及び図３の正面図に示すように、弾性線材を回曲してル−プ状の上押え環部１と下押え環部２とを形成し、その両上下押え環部１，２が輪として巻いた形状の巻き輪形状とした巻き輪連結部３によって連結したものとしている。
この巻き輪連結部３は、両上下押え環部面４，５とほぼ直角に交差する面に沿って一巻き半回右に巻いた右巻き輪６と、続けて逆巻きの一巻き半回左に巻いた左巻き輪７との二つの巻き輪６，７を並べた状態のものによって形成したものとしていて、用紙面の上には内環となっている上押え環部１が乗る状態となる。
この二つの巻き輪６，７は、逆となる一巻き半回左に巻いてから逆巻きの右に一巻き半巻き続けた状態のものとして形成することが出来るもので、この逆のものは外環となっている環が上押え環部１となって用紙面の上に乗る状態となるものである。
【０００８】
この巻き輪連結部３は二つの巻き輪６，７によって形成したものであるが、この二つの巻き輪６，７の数は二つと限定するものではなく、一つ以上のものとすることが考えられ、一巻き半回に巻く回数も左右への連携が出来る状態のものであれば自由である。
また、巻き輪６，７の形状も円以外の楕円や四角など様々な形状のものによって形成することやその数も自由なものとすることが出来るものである。
これら巻き輪の大きさを大きくしたものは、その大きさなりの厚さとなった多数枚の紙片７に対応して挟むことが出来るものになる。
【０００９】
本発明に係わるクリップには表裏が存在するものである。
すなわち、押え環部の巻き輪への付け根が上から見て奇数巻きとなっている押え環部を用紙の上側にして挟み込むものであるから、これが表となるものであり、この表が裏返しになったときには奇数巻きとなる押え環部が表になるものである。
特許文献１のクリップのものでは、押え環部とその付け根が連結部の谷側となっている押え環部が上側の表となるものである。
これらのクリップの上下をわかり易くする手段としては、図６に示すように、上押え環部１の先端部分を上か下かのどちらかに起き上がらせた曲げ先８を設けるこしが当然考えられるものである。
巻き輪連結部３を設けたクリップの使い方としては、特許文献１やゼムクリップと同じようにして挟み込むことが出来るものであるが、本発明に係わるクリップの基本的な挟み方としては巻き輪連結部３の左巻き輪７と連結している上押え環部１の下に用紙を挟み込むものである。
すなわち、図１から図３のものでは、下押え環部２の先端を紙片下の縁に掛けて上押え環部１を上に押し下げ、その上押え環部１が紙片９の表側に乗るように差し込んで、紙片縁で枚数の多い厚さとなる背部面１０と二つの巻き輪６，７である巻き輪連結部３とが図４に示すごとく平行状態に接触させるものである。
曲げ先８を設けたクリップの場合には、下押え環部２を用紙の縁に用紙と直角に当てて、上押え環部１の先端が用紙に掛け止めまった状態でクリップを押し下げるように差し込むことで円滑に挟み込みが出来るものである。
【００１０】
以上に述べた巻き輪連結部３は、上押え環部１や下押え環部２の長手方向に対してほぼ直角状態に交差しているものであるが、４５度の角度を設けた状態としたものなども当然考えられるものであり、４５度の角度を設けたものは、図５に示すごとく、紙片９の角を挟むものとして使用することが出来るものである。
【００１１】
また、他の実施の形態として、図７に示すように、上押え環部１と下押え環部２とを用紙の隅に当て嵌まるほぼ直角三角形として、巻き輪連結部３を設けたクリップとすることが考えられるものである。
この両上下押え環部１，２，をほぼ直角三角形として設けたクリップのものは、用紙の隅部分を挟むものとして考えられ、紙片９を挟む安定性は優れたものである。
枚数の少ないものに対しては挟む力が弱くなると思われるが、従来のゼムクリップとなんら変わることが無いものであり、挟む力が弱く感じられるのであれば上押え環部１を下押え環部２の内側から少々抜き出る状態に曲げ込んでおくことで、確りと挟むことができるものになることは当然なことである。
巻き輪形状によって形成した巻き輪連結部３の緩衝手段は、複数の内環部を設けたクリップやＶクリップにも設けることが出来ることは当然であり、内環と外環とを上下に重ねて変形したクリップであるアイデアルクリップ等であっても、巻き輪連結部３を設けることが出来るものである。
【００１２】
【発明の効果】
本発明に係わるクリップを使用するときには、挟む紙片９の枚数が多くて厚いものでも、巻き輪連結部３に加わるひねりは、コイルばね状となっている巻き輪による緩衝手段によつて吸収されるものである。したがって、上押え環部１と下押え環部２とは紙片９の面より反り上がりが小さくなり、枚数が多くて厚い紙片９を確りと挟むことが出来るものとなる。
【図面の簡単な説明】
【図１】一つの実施の形態を示す斜視図である。
【図２】一つの実施の形態を示す巻き輪連結部側から見た側面図である。
【図３】一つの実施の形態を示す正面図である。
【図４】本発明のクリップで紙片を挟み込んだ使用状態を示す斜視図である。
【図５】本発明のクリップで紙片の角部分を挟み込んだ状態を示す斜視図である。
【図６】本発明のクリップに曲げ先を設けた状態を示す斜視図である。
【図７】他の実施の形態を示す斜視図である。
【符号の説明】
１．上押え環部
２．下押え環部
３．巻き輪連結部
４．上押え環部面
５．下押え環部面
６．右巻き輪
７．左巻き輪
８．曲げ先
９．紙片
１０．背部面
【図１】
2004237635.tif 000003
【図２】
2004237635.tif 000004
【図３】
2004237635.tif 000005
【図４】
2004237635.tif 000006
【図５】
2004237635.tif 000007
【図６】
2004237635.tif 000008
【図７】
2004237635.tif 000009